(57)【要約】【課題】  穿刺痛を軽減しつつ簡便かつ迅速な皮膚からの採血を可能にする、穿刺器具、穿刺器具を備えた血糖値測定装置、および穿刺器具用光照射装置を提供する。【解決手段】  穿刺器具１は、皮膚に穿刺可能な穿刺針１１を備えたランセット部１０と、穿刺針１１の針先前方に血管拡張作用を有する波長の光を照射するための光照射部としてのレーザ素子２０とを有する。【選択図】            図１
2005095521.tif 000002
【特許請求の範囲】
【請求項１】
皮膚に穿刺可能な穿刺針を備えたランセット部と、
前記穿刺針の針先前方に血管拡張作用を有する波長の光を照射するための光照射部と、
を有することを特徴とする穿刺器具。
【請求項２】
前記穿刺針の針先前方に設けられ皮膚により略密閉可能なチャンバと、
前記チャンバ内の空気を吸引するための吸引手段と、
をさらに有することを特徴とする請求項１に記載の穿刺器具。
【請求項３】
前記光照射部は、波長３６０ｎｍ〜６００ｎｍの範囲内のレーザ光、または波長３６０ｎｍ〜６００ｎｍの範囲内に吸収ピークを有する光を照射することを特徴とする請求項１または２に記載の穿刺器具。
【請求項４】
前記ランセット部および前記光照射部を収納するケーシングと、
当該ケーシングの上面に形成され指先でほぼ塞ぎ得る開口と、
当該開口の近傍に設けられ前記光の照射を開始および停止可能なスイッチと、
をさらに有することを特徴とする請求項１または２に記載の穿刺器具。
【請求項５】
前記穿刺針の外径は、０．１ｍｍ〜０．３ｍｍの範囲内であり、
前記穿刺針のうち前記ランセット部が収納されるケーシングの開口端面から外方に突出し得る部分の長さは、０．５ｍｍ〜３ｍｍの範囲内であることを特徴とする請求項１〜４のいずれか１つに記載の穿刺器具。
【請求項６】
前記穿刺針の本数は、１〜１０の範囲内であることを特徴とする請求項１〜５のいずれか１つに記載の穿刺器具。
【請求項７】
皮膚に穿刺可能な穿刺針を備えたランセット部と、
前記穿刺針の針先前方に血管拡張作用を有する波長の光を照射するための光照射部と、
前記穿刺針により穿刺された皮膚からの血液に基づいて血糖値を算出する分析部と、
を有することを特徴とする穿刺器具を備えた血糖値測定装置。
【請求項８】
皮膚に穿刺可能な穿刺針を備えたランセット部を有する穿刺器具が装着され得る、当該穿刺器具を保持するための保持体と、
前記保持体に前記穿刺器具が装着された場合に前記穿刺針の針先前方に血管拡張作用を有する波長の光を照射するための光照射部と、
を有することを特徴とする穿刺器具用光照射装置。
【発明の詳細な説明】
【技術分野】
【０００１】
本発明は、皮膚から採血するための穿刺器具、穿刺器具を備えた血糖値測定装置、および穿刺器具用光照射装置に関する。
【背景技術】
【０００２】
糖尿病患者は、自ら採血して血中のグルコース値である血糖を測定する。この場合、患者は、針を有する穿刺器具を用い、血管が豊富にある指先の皮膚に針を刺して出血させ、その血液を血糖分析計に移して血糖値を測定するのが一般的である（たとえば特許文献１参照）。
【０００３】
しかし、指先の皮膚には痛みを感受する受容器（痛点）や神経が豊富に存在するため、針の穿刺による痛みは他の部位よりも多い。したがって、毎日繰り返し測定を余儀なくされる患者にとっては非常に苦痛である。
【０００４】
そこで、穿刺痛を少なくする目的で、痛点の少ない大腿部や上腕部などの皮膚に針を穿刺したり、３０Ｇ（外径０．３０ｍｍ）、３３Ｇ（外径０．２０ｍｍ）などの極細針を使用したりするようになってきた。
【０００５】
ところが、指以外の皮膚からの採血や、極細針の使用は、針の穿刺による痛みの問題をある程度解決させたが、血が出にくいという新たな問題を引き起こした。さらには、大腿部や上腕部の皮膚から採血した場合、出血したとしても、動脈圧が高いため出血がなかなか止まらないという問題もあった。
【０００６】
一方、指先は、心臓から離れた所に位置しているため、動脈圧は低い。さらに、指先などの皮膚に存在する末梢血管は、環境温度の影響を受けやすい。すなわち、皮膚温が下がりやすく、血管も収縮しやすい状態にある。動脈圧が低く、血管が収縮して細いということは、血液循環が悪いということである。このため、針で指先の皮膚を傷つけても、血管に当たる確立が低く、出血しにくい。
【０００７】
そこで、穿刺時に指先の皮膚の血管を拡張させることができたなら、細い針を使っても出血しやすくかつ出血後に血が止まりやすいという血糖測定には好都合の状況を作り出せる可能性がある。かかる観点から、これまで、血が出にくい患者に対して、穿刺前に、温水で穿刺部位を暖めたり、心臓部から指先に向かってマッサージしたりするなどの方法がとられてきた。しかし、マッサージを行う場合と同様に、温水を使用する場合も、温水を用意するとともに穿刺部位を温めた後に水分を拭き取る必要があるなど操作が煩雑である。さらに、加温による血管拡張作用は中枢神経を介する反射であるため、強力な血管拡張効果は期待できず、しかも効果が発現するのに時間を要する。
【０００８】
そこで、本発明者は、皮膚の血管を直接かつ簡便に拡張する手段として光に注目した。なぜなら、紫外領域の波長の光が血管平滑筋に影響を及ぼすことが知られているからである。すなわち、非常に弱い出力の紫外線照射（波長３００ｎｍ〜３５０ｎｍ）が摘出血管を直接的に強く弛緩させること、および波長が長波長側に移行すると効果が漸次減弱することが報告されている（たとえば非特許文献１参照）。しかしながら、波長３００ｎｍ〜３５０ｎｍの紫外領域は、皮膚へ有害な刺激作用があるため、この波長領域を使用することはできない。
【特許文献１】特開２０００−２４５７１７号公報
【非特許文献１】アール．エフ．ファーチゴット（R. F. Furchgott）、外２名、ザ  ジャーナル  オブ  ゼネラル  フィジオロジー（The Journal of General Physiology）、（米国）、ザ  ロックフェラー  インスティチュート  フォー  メディカル  リサーチ（The Rockfeller Institute for Medical research）、１９６１年、４４、ｐ．４９９−５１９
【発明の開示】
【発明が解決しようとする課題】
【０００９】
本発明は、上述の課題を解決するためになされたものであり、本発明の目的は、穿刺痛を軽減しつつ簡便かつ迅速な皮膚からの採血を可能にする、穿刺器具、穿刺器具を備えた血糖値測定装置、および穿刺器具用光照射装置を提供することである。
【課題を解決するための手段】
【００１０】
本発明の目的は、下記する手段により達成される。
【００１１】
（１）皮膚に穿刺可能な穿刺針を備えたランセット部と、前記穿刺針の針先前方に血管拡張作用を有する波長の光を照射するための光照射部と、を有することを特徴とする穿刺器具。
【００１２】
（２）前記穿刺針の針先前方に設けられ皮膚により略密閉可能なチャンバと、前記チャンバ内の空気を吸引するための吸引手段と、をさらに有することを特徴とする上記（１）に記載の穿刺器具。
【００１３】
（３）前記光照射部は、波長３６０ｎｍ〜６００ｎｍの範囲内のレーザ光、または波長３６０ｎｍ〜６００ｎｍの範囲内に吸収ピークを有する光を照射することを特徴とする上記（１）または（２）に記載の穿刺器具。
【００１４】
（４）前記ランセット部および前記光照射部を収納するケーシングと、当該ケーシングの上面に形成され指先でほぼ塞ぎ得る開口と、当該開口の近傍に設けられ前記光の照射を開始および停止可能なスイッチと、をさらに有することを特徴とする上記（１）または（２）に記載の穿刺器具。
【００１５】
（５）前記穿刺針の外径は、０．１ｍｍ〜０．３ｍｍの範囲内であり、前記穿刺針のうち前記ランセット部が収納されるケーシングの開口端面から外方に突出し得る部分の長さは、０．５ｍｍ〜３ｍｍの範囲内であることを特徴とする上記（１）〜（４）のいずれか１つに記載の穿刺器具。
【００１６】
（６）前記穿刺針の本数は、１〜１０の範囲内であることを特徴とする上記（１）〜（５）のいずれか１つに記載の穿刺器具。
【００１７】
（７）皮膚に穿刺可能な穿刺針を備えたランセット部と、前記穿刺針の針先前方に血管拡張作用を有する波長の光を照射するための光照射部と、前記穿刺針により穿刺された皮膚からの血液に基づいて血糖値を算出する分析部と、を有することを特徴とする穿刺器具を備えた血糖値測定装置。
【００１８】
（８）皮膚に穿刺可能な穿刺針を備えたランセット部を有する穿刺器具が装着され得る、当該穿刺器具を保持するための保持体と、前記保持体に前記穿刺器具が装着された場合に前記穿刺針の針先前方に血管拡張作用を有する波長の光を照射するための光照射部と、を有することを特徴とする穿刺器具用光照射装置。
【発明の効果】
【００１９】
本発明によれば、穿刺針の針先前方に血管拡張作用を有する波長の光を照射することにより容易に、穿刺針を穿刺すべき皮膚の血管を拡張させることができるため、穿刺針として細い針を使ったとしても、血管に確実に穿刺して、皮膚から十分な量を迅速に採血することが可能となる。したがって、穿刺針をより細くすることができ、穿刺痛を軽減することが可能となる。しかも、指先の皮膚から簡単に採血できるため、採血終了後の止血も容易となる。
【発明を実施するための最良の形態】
【００２０】
以下、図面を参照して、本発明の実施の形態を説明する。
【００２１】
図１は、本発明の第１実施形態である穿刺器具の主要部を示す概略断面図、図２は、図１に示される穿刺器具の平面図である。なお、図１は、説明の都合上、穿刺器具内部の各要素を略同一平面内に記載してある。
【００２２】
図１に示すように、穿刺器具１は、皮膚に穿刺可能な穿刺針１１を備えたランセット部１０と、穿刺針１１の針先前方に血管拡張作用を有する波長の光を照射するための光照射部としてのレーザ素子２０とを有している。また、穿刺器具１は、外枠を構成するケーシング３０を有する。
【００２３】
ランセット部１０は、穿刺針１１が先端に取り付けられた支持体１２を有している。支持体１２は、ケーシング３０内の中央部に立設された円筒形状のホルダ３１内に嵌挿されており、ランセット部１０は、その軸方向に移動可能である。ランセット部１０の下方には、当該ランセット部１０を先端方向（図中上方）に付勢するためのコイルばね４０が設けられる。ケーシング３０、支持体１２、およびホルダ３１は、たとえばプラスチック等により形成されている。
【００２４】
また、ランセット部１０の支持体１２の側面には、ランセット解放機構部５０のロッド５１が係合可能な溝１３が形成されている。ランセット解放機構部５０としては、たとえば電磁ソレノイドが使用される。ロッド５１は、コイルばね４０が圧縮された状態で、溝１３に係合される。ロッド５１は、支持体１２の溝１３に向けて水平方向に進退移動可能である。ロッド５１が退避して溝１３から外れると、ランセット部１０は、コイルばね４０の弾発力によって、先端方向に移動させられる。なお、ランセット部１０の移動を制御するためのランセット解放機構部５０の構成は、一例であり適宜変更可能である。
【００２５】
穿刺針１１は、一般的には、ステンレス鋼を使用して、例えば、塑性加工によって製造される。但し、チタンなどの他の金属あるいはプラスチック等の材料から、穿刺針１１を製造することも可能である。穿刺針１１の支持体１２への固着は、例えば、インサート成形あるいは接着によって達成される。
【００２６】
穿刺針１１の外径は、好ましくは０．１ｍｍ〜０．３ｍｍの範囲内である。上限値を設けることにより、針を細くして穿刺痛を軽減することができる。また、下限値を設けることにより、必要な採血量を確保することができる。
【００２７】
ケーシング３０の上面には、開口３２が形成されている。開口３２は、指先でほぼ塞ぎ得る大きさに形成されている。ランセット部１０が先端方向に移動した場合、穿刺針１１が開口３２から外方に突出し得る。穿刺針１１のうちケーシング３０の開口３２端面から外方に突出し得る部分の長さは、好ましくは０．５ｍｍ〜３ｍｍの範囲内である。上限値を設けることにより、神経や血管に対する損傷を最小限に抑えることができる。また、下限値を設けることにより、必要な採血量を確保することができる。
【００２８】
また、ケーシング３０の開口３２の近傍には、使用者によって押されることにより穿刺器具の動作を開始するためのスタートスイッチ３３が設置されている。スタートスイッチ３３としては、接触式のスイッチが使用されるが、非接触式のスイッチが使用されてもよい。
【００２９】
レーザ素子２０は、ケーシング３０内の上方において、ランセット部１０の周辺に略均等に配置される。レーザ素子２０の設置個数は任意である。レーザ素子２０は、照射されるレーザ光が開口３２を通過し得るように、その設置位置および方向が決められる。
【００３０】
レーザ素子２０としては、たとえば半導体レーザが使用可能である。レーザ素子２０は、好ましくは波長３６０ｎｍ〜６００ｎｍの範囲内、より好ましくは波長４００ｎｍ〜５００ｎｍの範囲内のレーザ光を照射する。下限値を設けることにより、皮膚への有害な刺激作用を回避できる。また、上限値を設けることにより、従来の光線療法機器よりも大きい血管拡張作用が発揮され得る。なお、レーザ素子の代わりに、好ましくは波長３６０ｎｍ〜６００ｎｍの範囲内、より好ましくは波長４００ｎｍ〜５００ｎｍの範囲内に吸収ピークを有する光を照射する素子が使用されてもよい。
【００３１】
ケーシング３０内には、各種演算と器具内の各部の制御とを行う制御部６０が設けられている。制御部６０は、たとえばＣＰＵ、メモリ、専用の電気回路などから構成される。なお、ケーシング３０内には、電力を供給するための図示しない電源（電池）が内蔵されている。
【００３２】
図３は、穿刺器具の制御に関する構成を示す概略ブロック図である。
【００３３】
図３に示すように、スタートスイッチ３３は、制御部６０に接続されている。スタートスイッチ３３からの開始信号は、制御部６０に入力される。レーザ素子２０およびランセット解放機構部５０もまた、制御部６０に接続されている。制御部６０は、レーザ素子２０およびランセット解放機構部５０の動作を制御するための信号を出力する。
【００３４】
次に、穿刺器具１の使用方法について説明する。
【００３５】
図２に示すように、使用者は、指先がケーシング３０の開口３２をほぼ塞ぎ、かつスタートスイッチ３３の上に乗るように、指１００を穿刺器具１の上に置く。スタートスイッチ３３が指先で押されることにより、穿刺器具１の動作が開始される。制御部６０は、スタートスイッチ３３からの開始信号を受信すると、レーザ光を照射するように、レーザ素子２０に指令を出すとともに、照射時間をカウントするための内蔵されたタイマーをスタートさせる。レーザ素子２０は、開口３２の方に向けてレーザ光を照射する。レーザ光の照射により、開口３２の上に置かれた指先の皮膚の血管が拡張される。
【００３６】
タイマーの値が所定時間（たとえば１分）を経過した場合、制御部６０は、ロッド５１を退避させるように、ランセット解放機構部５０に解放指令を出す。なお、制御部６０は、時間に依存して解放指令を出す代わりに、たとえば指先の温度の上昇量に依存して解放指令を出すことも可能である。これにより、ランセット部１０は、ロッド５１による係合が解除され、コイルばね４０が伸張する力によって先端方向に移動させられる。そして、ランセット部１０の穿刺針１１が開口３２端面から所定距離だけ突出して指先の皮膚を穿刺する。なお、穿刺針１１は、皮膚への穿刺後、図示しない第２のばね部材により基端側に引き戻され、針先が開口３２端面よりも内側に移動させられる。
【００３７】
使用者が指先をスタートスイッチ３３から離すと、制御部６０は、レーザ光の照射を停止するように、レーザ素子２０に指令を出す。したがって、使用者が誤ってレーザ光を見てしまう事態を回避することができる。
【００３８】
このように本実施形態によれば、穿刺針１１の針先前方に血管拡張作用を有する波長の光を照射することにより容易に、穿刺針１１を穿刺すべき皮膚の血管を拡張させることができるため、穿刺針１１として細い針を使ったとしても、血管に確実に穿刺して、皮膚から十分な量を迅速に採血することが可能となる。
【００３９】
したがって、穿刺針１１をより細くすることができ、穿刺痛を軽減することが可能となる。しかも、指先の皮膚から簡単に採血できるため、採血終了後の止血も容易となる。
【００４０】
紫外線領域（波長３００ｎｍ〜３５０ｎｍ）の光が血管を強く拡張させることは、前述したように既に知られているものの、可視領域（波長４００ｎｍ〜６００ｎｍ）およびその周辺の波長の光による作用は、これまでほとんど検討されていなかった。
【００４１】
そこで、上記実施形態で使用される波長３６０ｎｍ〜６００ｎｍの範囲内の光が循環血流に及ぼす影響を検討する実験を行ったので、以下に説明する。
【００４２】
（実験方法）
５３２ｎｍのレーザ光を照射できる半導体レーザ装置（株式会社高知豊中技研製）と、８１０ｎｍのレーザ光を照射できる歯科用の半導体レーザ装置（株式会社ユニタク製）とを用いて実験を行った。
【００４３】
実験動物としてラットを用いた。ラットをペントバルビタールで麻酔した後、耳介部の内側に血流測定計（ＡＬＦ２１；（株）アドバンス社製）のプローブを密着させた。耳介部の内側にあるプローブの真上に位置するように、レーザ照射装置の照射口を耳介部の外側に設置して、耳介部をはさみ込んだ。耳介部の血流量は、ペンレコーダで記録した。レーザ光を１分および５分照射直後の血流量を、照射直前の血流量に対する増加率（平均値±標準偏差（ＳＤ））で示した。
【００４４】
温度の測定は、上記の血流測定計のプローブの代わりに、温度測定プローブを耳介部の内側に密着させて実施した。血流測定時と同様にレーザ光を照射し、照射１分、５分、１０分後の温度を記録した。
【００４５】
（実験結果）
血流測定の結果を表１に示す。
【００４６】
【表１】
2005095521.tif 000003
【００４７】
表１からわかるように、８１０ｎｍ、２０ｍＷのレーザ光照射は、ほとんど耳介部の血流に影響を及ぼさなかったが、５３２ｎｍ、２０ｍＷのレーザ光照射は、時間に依存して耳介部の血流を増大させた。
【００４８】
温度測定の結果を表２に示す。
【００４９】
【表２】
2005095521.tif 000004
【００５０】
表２からわかるように、レーザ光照射中の耳介部温度変化は、５３２ｎｍのレーザ光と８１０ｎｍのレーザ光とで差があまり認められなかった。
【００５１】
上記実験から、レーザ光照射による血流増加作用は、光照射そのものによる影響と考えられる。すなわち、５３２ｎｍの波長の光は、血管を十分に拡張させることがわかった。したがって、本発明の穿刺器具を使用して、速やかにかつ有害な刺激を与えることなく効果的に皮膚の血管を拡張させた上で、採血用の穿刺針１１を皮膚に穿刺することが可能となることがわかる。
【００５２】
図４は、本発明の第２実施形態である穿刺器具の主要部を示す概略断面図、図５は、図４に示される穿刺器具の平面図である。なお、図４は、説明の都合上、穿刺器具内部の各要素を略同一平面内に記載してある。以下、第１実施形態と相違する点を中心に説明する。第１実施形態と共通する機能を有する部材には同一の符号を用いる。
【００５３】
第２実施形態に係る穿刺器具１ａは、穿刺針１１の針先前方に設けられ皮膚により略密閉可能なチャンバ３４と、チャンバ３４内の空気を吸引するための吸引ポンプ７０とをさらに有している点で、第１実施形態と相違している。
【００５４】
ランセット部１０ａは、３本の穿刺針１１を有している。穿刺針１１の設置本数は任意であるが、複数であれば穿刺針１１が血管にヒットする確率を増やすことができる。ただし、針穿刺の確実性や製造コストの観点を考慮すれば、穿刺針１１の設置本数は、１〜１０本の範囲が好ましい。
【００５５】
ケーシング３０の上面の開口３２ａは、チャンバ３４の上面に形成されている。チャンバ３４の内面に開口する吸引口３５は、通路３６およびパイプ７１を介して、吸引ポンプ７０に接続される。制御部６０は、レーザ素子２０およびランセット解放機構部５０に加えて、吸引ポンプ７０の動作を制御するための信号を出力し得る。
【００５６】
また、ランセット部１０ａが嵌挿される円筒形状のホルダ３１の上方部分、すなわちレーザ素子２０からのレーザ光が当たる部分は、レーザ光が透過し得るように透明に形成されている。
【００５７】
このように構成された穿刺器具１ａを使用する場合、図５に示すように、使用者は、指先がケーシング３０の開口３２ａをほぼ塞ぎ、かつスタートスイッチ３３の上に乗るように、指１００を穿刺器具１の上に置く。スタートスイッチ３３が指先で押されることにより、穿刺器具１の動作が開始される。なお、以降、ランセット部１０の穿刺針１１が皮膚を穿刺するまでの動作は、第１実施形態と同様なので説明を省略する。
【００５８】
第２実施形態では、制御部６０は、ランセット解放機構部５０に解放指令を出すと同時あるいはその後、チャンバ３４内の空気を吸引するように、吸引ポンプ７０に指令を出す。チャンバ３４は、使用者の指１００により略密閉されているため、負圧が生じる。これにより、穿刺針１１により穿刺された皮膚から血液が出易くなる。なお、使用者が指先をスタートスイッチ３３から離すと、光の照射と吸引動作が停止される。
【００５９】
このように第２実施形態の穿刺器具によっても、上記の第１実施形態と同様の効果を得ることが可能であり、さらには、採血がより容易となる利点がある。
【００６０】
図６は、本発明の第３実施形態である穿刺器具用光照射装置の主要部を示す概略断面図である。以下、第１実施形態と相違する点を中心に説明する。第１実施形態と共通する機能を有する部材には同一の符号を用いる。
【００６１】
上記した実施形態の穿刺器具は、ランセット部１０と、光照射部としてのレーザ素子２０とをあわせ持つ構成とされている。これに対して、本実施形態では、ランセット部１０を有する穿刺器具２と、レーザ素子２０を有する穿刺器具用光照射装置３とが分離して別個に提供される。すなわち、穿刺器具用光照射装置３は、皮膚に穿刺可能な穿刺針１１を備えたランセット部１０を有する穿刺器具２が装着され得る、当該穿刺器具２を保持するための保持体８１と、保持体８１に穿刺器具２が装着された場合に穿刺針１１の針先前方に血管拡張作用を有する波長の光を照射するための光照射部としてのレーザ素子２０とを有している。
【００６２】
穿刺器具用光照射装置３は、使用時にたとえば指の皮膚１０１の表面に対向させられるヘッド部４と、使用者が握るためのグリップ部５とから構成されている。また、穿刺器具用光照射装置３は、外枠を構成するケーシング８０を有する。このケーシング８０は、たとえば対称面で２分割された一対の素子から構成されており、プラスチック等により形成されている。
【００６３】
保持体８１は、ヘッド部４の上方に、ケーシング８０の一部として形成されている。保持体８１は、穿刺器具２を受容して動かないように固定することができる。ただし、保持体８１の構成は、図示のものに限定されるものではない。
【００６４】
ヘッド部４の先端面（図中底面）には、レーザ素子２０からのレーザ光が通過するための開口８３が形成されている。また、ケーシング８０の開口８３の近傍には、使用者によって押されることにより光の照射を開始するための照射スイッチ８２が設置されている。照射スイッチ８２としては、接触式のスイッチが使用されるが、非接触式のスイッチが使用されてもよい。
【００６５】
このように構成された穿刺器具用光照射装置３を使用する場合、図６に示すように、使用者は、予め穿刺器具２を穿刺器具用光照射装置３の保持体８１に装着して固定する。使用者が穿刺器具用光照射装置３のグリップ部５を把持して、ヘッド部４の先端面を皮膚１０１に近接または接触させると、照射スイッチ８２がオン状態になる。照射スイッチ８２がオンされると、図示しない制御部は、レーザ光を照射するように、レーザ素子２０に指令を出す。レーザ光の照射により、皮膚１０１の血管が十分拡張されると（たとえば照射開始から１分経過）、使用者は、穿刺器具２の解放スイッチ５０ａを押す。レーザ光の照射後、所定時間（たとえば１分）が経過した場合、スピーカからの発音あるいはランプの点灯などにより、使用者に通知されてもよい。
【００６６】
解放スイッチ５０ａが押されると、図示しないコイルばねにより、ランセット部１０は先端方向（図中下方）に移動させられ、ランセット部１０の穿刺針１１が皮膚１０１を穿刺する。なお、穿刺器具用光照射装置３を皮膚１０１から離すと、光の照射は停止される。
【００６７】
このように第３実施形態の穿刺器具用光照射装置３を使用すれば、上記した実施形態と同様の効果を得ることが可能であり、さらにはメンテナンスなどの管理が容易となる。
【００６８】
本発明は、上記した実施形態のみに限定されるものではなく、特許請求の範囲内において、種々改変することができる。
【００６９】
たとえば、上記実施形態の穿刺器具１あるいは１ａに、穿刺針１１により穿刺された皮膚からの血液に基づいて血糖値を算出する分析部（図示せず）を一体的に付加して、血糖値測定装置を構成することも可能である。分析部は、たとえば、穿刺針１１により穿刺された皮膚からの血液が供給され得るセンサ部と、血液が供給されたセンサ部から血糖値を定量的に演算する演算部とを有している。センサ部への血液の供給は、たとえば使用者により行われる。ただし、皮膚からの血液が自動的にセンサ部に供給されてもよい。
【００７０】
このように構成された血糖値測定装置によれば、上記した実施形態と同様の効果を得ることが可能であり、さらには、あわせて血糖値をも迅速に測定することが可能となり、使用者の利便性が向上する。
【図面の簡単な説明】
【００７１】
【図１】本発明の第１実施形態である穿刺器具の主要部を示す概略断面図である。
【図２】図１に示される穿刺器具の平面図である。
【図３】穿刺器具の制御に関する構成を示す概略ブロック図である。
【図４】本発明の第２実施形態である穿刺器具の主要部を示す概略断面図である。
【図５】図４に示される穿刺器具の平面図である。
【図６】本発明の第３実施形態である穿刺器具用光照射装置の主要部を示す概略断面図である。
【符号の説明】
【００７２】
１、１ａ    穿刺器具、
２    穿刺器具、
３    穿刺器具用光照射装置、
１０、１０ａ    ランセット部、
１１    穿刺針、
１２    支持体、
１３    溝、
２０    レーザ素子、
３０、８０    ケーシング、
３２、３２ａ、８３    開口、
３４    チャンバ、
６０    制御部、
７０    吸引ポンプ、
８１    保持体、
１００    指、
１０１    皮膚。
【図１】
2005095521.tif 000005
【図２】
2005095521.tif 000006
【図３】
2005095521.tif 000007
【図４】
2005095521.tif 000008
【図５】
2005095521.tif 000009
【図６】
2005095521.tif 000010